(57)【特許請求の範囲】
【請求項１】
複数の人工歯(3)と、複数の人工歯(3)を所定の配列で石膏模型(1)に配置するワックスからなる歯肉部(2)と、この歯肉部(2)の表面に付着されてなる補助カバー材(4)とを備える蝋義歯であって、
前記補助カバー材(4)が、常温で可撓性を有するプラスチックをワックスに添加してなる常温可撓性材であることを特徴とする蝋義歯。
【請求項２】
前記補助カバー材(4)が、熱可塑性樹脂をワックスに添加してなる請求項１に記載される蝋義歯。
【請求項３】
前記補助カバー材(4)に、ポリエチレン樹脂、ポリプロピレン樹脂、ウレタン樹脂、シリコン樹脂、ポリエチレン樹脂、軟質塩化ビニル樹脂のいずれかからなるプラスチックをワックスに添加してなる請求項１に記載される蝋義歯。
【請求項４】
複数の人工歯(3)と、複数の人工歯(3)を所定の配列で石膏模型(1)に配置するワックスからなる歯肉部(2)と、この歯肉部(2)の表面に付着されてなる補助カバー材(4)とを備える蝋義歯であって、
補助カバー材(4)を、常温で可撓性を有するゴム状弾性体とすることを特徴とする蝋義歯。
【請求項５】
前記補助カバー材(4)が、シリコン樹脂、ウレタン樹脂、軟質塩化ビニル樹脂、ＥＶＡ、天然ゴム、合成ゴムのいずれかである請求項４に記載される蝋義歯。
【請求項６】
前記人工歯(3)と歯肉部(2)の外側表面及び内側表面に前記補助カバー材(4)が付着されてなる請求項１又は４に記載される蝋義歯。
【請求項７】
前記補助カバー材(4)が、前記人工歯(3)の歯頚線(3A)に沿う凹凸状の歯肉縁(4A)に成形されてなる請求項１又は４に記載される蝋義歯。
【発明の詳細な説明】
【技術分野】
【０００１】
本発明は、複数の人工歯を、ワックスからなる歯肉部を介して石膏模型に所定の配列で固定している蝋義歯に関する。
【背景技術】
【０００２】
蝋義歯を図１に示している。この蝋義歯は、ワックスの歯肉部９２でもって、複数の人工歯９３を所定の配列で石膏模型９１に固定して製作される。歯肉部９２が固定される石膏模型９１は、患者の義歯装着部の形状に成形している。このため、歯肉部９２をワックスからプラスチックや合金などの歯肉部に置き換えて製作される有床義歯は、プラスチック等の歯肉部が患者の装着部に合致する形状に成形される。プラスチック等の歯肉部は、蝋義歯を石膏の陰型に埋設し、石膏を硬化する状態で加熱して歯肉部のワックスを除去し、その後、ワックスの除去された空隙に義歯床用材料のプラスチックや合金などの歯肉成形材を充填して製作される。
【０００３】
この構造の蝋義歯は、石膏模型にワックスの歯肉部で複数の人工歯を所定の配列に固定して製作されることから、製造に極めて手間がかかる。この欠点を解消するために、図２に示す蝋義歯が開発されている。（特許文献１参照）
【特許文献１】特開２００３−３１０６４２号公報
【発明の開示】
【発明が解決しようとする課題】
【０００４】
特許文献１は、図２に示す蝋義歯が記載される。この蝋義歯は、石膏模型８１に固定される歯肉部８２の表面に、人工歯８３の歯頚線８３Ａに沿う凹凸状の歯肉縁８４Ａを有し、ある程度の肉厚を有する帯状ワックス片からなる補助カバー材８４を付着している。この蝋義歯は、歯肉部８２の外側と内側の両面に補助カバー材８４を付着して、歯肉部８２を整形して製作される。補助カバー材８４は、あらかじめ複数の人工歯８３に沿うように成形しているので、これをワックスで付着して、歯肉部８２を能率よく整形できる。このため、蝋義歯を短時間で能率よく製造できる。
【０００５】
しかしながら、図２の蝋義歯は、ワックスの歯肉部８２をプラスチック等の歯肉成形材に置き換えて有床義歯を製作する工程で、硬化したワックスからなる歯肉部８２が割れやすい欠点がある。また、患者によって異なる形状の歯肉部に補助カバー材８４を付着するのに手間がかかる欠点もある。それは、補助カバー材８４が、患者によって異なる曲率半径の歯肉部の表面に無理なく変形して沿わせることができないからである。
【０００６】
本発明は、この欠点を解決することを目的に開発されたもので、本発明の第１の目的は、補助カバー材でもって歯肉部の割れを防止しながら、ワックスの歯肉部をプラスチックや合金等の歯肉成形材に置換できる蝋義歯を提供することにある。
【０００７】
さらに、特許文献１の蝋義歯は、補助カバー材をワックスとしてこれを歯肉部に付着し、補助カバー材のワックスを歯肉部と一緒に加熱溶融して除去するので、補助カバー材を繰り返し使用できず蝋義歯の製造コストが高くなる欠点があった。
【０００８】
本発明の第２の目的は、補助カバー材を繰り返し使用することで、蝋義歯を能率よく短時間で製造しながら、製造コストを低減できる蝋義歯を提供することにある。
【課題を解決するための手段】
【０００９】
本発明の蝋義歯は、前述の目的を達成するために以下の構成を備える。
本発明の請求項１の蝋義歯は、複数の人工歯３と、複数の人工歯３を所定の配列で石膏模型１に配置するワックスからなる歯肉部２と、この歯肉部２の表面に付着されてなる補助カバー材４とを備える。この蝋義歯は、補助カバー材４を、常温で可撓性を有するプラスチックをワックスに添加してなる常温可撓性材としている。
【００１０】
本発明の請求項２の蝋義歯は、補助カバー材４が、熱可塑性樹脂をワックスに添加している。
【００１１】
本発明の請求項３の蝋義歯は、補助カバー材４が、ポリエチレン樹脂、ポリプロピレン樹脂、ウレタン樹脂、シリコン樹脂、ポリエチレン樹脂、軟質塩化ビニル樹脂のいずれかからなるプラスチックをワックスに添加している。
【００１２】
本発明の請求項４の蝋義歯は、複数の人工歯３と、複数の人工歯３を所定の配列で石膏模型１に配置するワックスからなる歯肉部２と、この歯肉部２の表面に付着されてなる補助カバー材４とを備える。この蝋義歯は、補助カバー材４を、常温で可撓性を有するゴム状弾性体としている。
【００１３】
本発明の請求項５の蝋義歯は、補助カバー材４を、シリコン樹脂、ウレタン樹脂、軟質塩化ビニル樹脂、ＥＶＡ、天然ゴム、合成ゴムのいずれかとしている。
【００１４】
本発明の請求項６の蝋義歯は、人工歯３と歯肉部２の外側表面及び内側表面に補助カバー材４を付着している。
【００１５】
本発明の請求項７の蝋義歯は、補助カバー材４を、人工歯３の歯頚線３Ａに沿う凹凸状の歯肉縁４Ａに成形している。
【発明の効果】
【００１６】
本発明の蝋義歯は、補助カバー材でもって歯肉部の割れを防止しながらワックスの歯肉部をプラスチック等の歯肉成形材に置換できる特徴がある。それは、本発明の蝋義歯が、歯肉部と人工歯との表面に補助カバー材を付着すると共に、この補助カバー材を、常温で可撓性を有するプラスチックをワックスに添加してなる常温可撓性材とし、あるいは、常温で可撓性を有するゴム状弾性体とするからである。常温可撓性材やゴム状弾性体からなる補助カバー材が表面に付着されてなる歯肉部は、常温で可撓性のある材補助カバー材で表面が補強されて、歯肉部の割れが有効に防止される。また、常温可撓性材やゴム状弾性体からなる補助カバー材は、患者に合わせて種々の形状に成形される歯肉部の表面に沿って自由に変形でき、簡単かつ容易に、しかも能率よく歯肉部の表面に付着して蝋義歯を短時間で製造できる特徴を実現する。
【００１７】
さらに、本発明の請求項４の蝋義歯は、補助カバー材を繰り返し使用して、蝋義歯を能率よく短時間で製造しながら、製造コストを低減できる特徴がある。それは、補助カバー材を、常温で可撓性を有するゴム状弾性体とするからである。この補助カバー材は、自由に変形して種々の形状の歯肉部の表面に簡単に付着しながら、プラスチックや合金等の歯肉部を成形する石膏の陰型を製作した後、陰型を開いて除去することで何回も繰り返し再使用できる。
【００１８】
さらに、本発明の請求項６の蝋義歯は、人工歯と歯肉部の外側表面及び内側表面に補助カバー材を付着して歯肉部の両面を補助カバー材で補強できるので、硬化した歯肉部の割れをより確実に防止できる。
【００１９】
さらにまた、本発明の請求項７の蝋義歯は、補助カバー材を、人工歯の歯頚線に沿う凹凸状の歯肉縁に成形しているので、歯肉部に付着してその上縁の整形を簡単にしながら、歯肉部に付着できる。
【発明を実施するための最良の形態】
【００２０】
以下、本発明の実施例を図面に基づいて説明する。ただし、以下に示す実施例は、本発明の技術思想を具体化するための蝋義歯を例示するものであって、本発明は蝋義歯を以下のものに特定しない。
【００２１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２２】
図３と図４は、下顎用の総義歯の製作に使用される蝋義歯を、図５と図６は、上顎用の総義歯の製作に使用される蝋義歯をそれぞれ示している。ただし、本発明は、蝋義歯を総義歯の製作に使用するものに特定せず、部分義歯の製作に使用するものとすることもできる。図の蝋義歯は、複数の人工歯３と、複数の人工歯３を所定の配列で石膏模型１に配置するワックスからなる歯肉部２と、この歯肉部２の表面に付着している補助カバー材４とを備える。図の蝋義歯は、歯肉部２の外側と内側の表面に補助カバー材４を付着している。ただ、本発明の蝋義歯は、図示しないが、歯肉部の外側または内側の一方にのみ補助カバー材を付着することもできる。
【００２３】
蝋義歯の石膏模型１は、患者の口腔状態をかたどった形状に成形されている。この石膏模型１の上にワックスの歯肉部２が設けられる。ワックスの歯肉部２は、石膏模型１に設けている凸条５の上面と外側及び内側をカバーするように設けられる。この歯肉部２の上に複数の人工歯３を所定の配列で配置し、歯肉部２の表面に補助カバー材４を付着して人工歯３を歯肉部２に固定する。補助カバー材４は、金属へらを使用し、加熱して溶融したワックスで歯肉部２に付着される。金属へらは、金属製の加熱片を先端部に有する工具で、先端部をバーナーで加熱して使用する。この金属へらは、バーナーで加熱された先端部をワックスに浸漬して、溶融状態として付着する。溶融状態のワックスを補助カバー材４と歯肉部２の間に充填して硬化させる。硬化したワックスは、接着剤のように補助カバー材４を歯肉部２や人工歯３の表面に付着する。このとき、補助カバー材４を歯肉部２の表面に沿わせる形状に変形し、補助カバー材４と歯肉部２との隙間を狭くして、この狭い隙間に溶融状態のワックスを充填して、補助カバー材４を歯肉部２や人工歯３の表面に付着する。
【００２４】
プラスチックをワックスに添加している常温可撓性材からなる補助カバー材４は、金属へらで補助カバー材４の一部を溶融し、整形しながら歯肉部２や人工歯３の表面に付着することができる。
【００２５】
補助カバー材４は、常温で可撓性を有するプラスチックをワックスに添加している常温可撓性材、あるいは常温で可撓性を有するゴム状弾性体で製作される。常温可撓性材からなる補助カバー材４は、ポリエチレン樹脂、ポリプロピレン樹脂、軟質塩化ビニル樹脂等の熱可塑性樹脂をワックスに添加し、あるいは、常温で可撓性を有するシリコン樹脂、ウレタン樹脂等をワックスに添加している。プラスチックとワックスは、プラスチックとワックスの両方が溶融される温度まで加熱して両方を溶融し、溶融状態で混練して混合される。プラスチックの添加量は、１００重量部のワックスに対して１００重量部とする。ただし、プラスチックの添加量は、１００重量部のワックスに対して、たとえば１０重量部以上、好ましくは３０重量部以上、さらに好ましくは５０重量部以上とする。プラスチックの添加量が少なくなると、硬化状態で十分な強度を実現できず、また常温における可撓性が少なくなるからである。また、プラスチックの添加量が多すぎると加熱して石膏の陰型からスムーズに流出できなくなるので、プラスチックの添加量は１００重量部のワックスに対して、たとえば３００重量部よりも少なく、好ましくは２００重量部よりも少なく、さらに好ましくは１５０重量部よりも少なく調整される。
【００２６】
ゴム状弾性体からなる補助カバー材４は、シリコン樹脂、ウレタン樹脂、天然ゴム、合成ゴムなどを成形して製作される。
【００２７】
補助カバー材４は、約１．５ｍｍの厚さであって、図３と図４において上縁（図５と図６において下縁）を、人工歯３の歯頚線３Ａに沿う凹凸状の歯肉縁４Ａに成形している。補助カバー材４は、厚くして歯肉部２を強固に補強できる。ただ、補助カバー材が厚すぎると、歯肉部を理想的な形状に整形できなくなるので、その厚さは、好ましくは０．５ｍｍないい３ｍｍ、好ましくは１ｍｍないし２．５ｍｍとする。
【００２８】
下顎の両面と、上顎の外側表面に付着される補助カバー材４は、歯肉部２に沿って伸びる、所定の幅の帯状に成形させる。帯状の補助カバー材４は、好ましくは、幅を約１ｃｍとして、歯肉部２と人工歯３の下縁に付着できる形状としている。ただし、この補助カバー材４は、その幅を、たとえば５ｍｍ〜２ｃｍとすることもできる。さらに、図３と図５の蝋義歯は、３枚の補助カバー材４を長手方向に並べて歯肉部２の表面に付着している。この構造は、隣接している補助カバー材４の間隔を調整して、歯肉縁４Ａを人工歯３に正確に合わせることができる。蝋義歯は、患者に合わせて使用する人工歯３の形状や大きさを変更するが、分割している補助カバー材４は、その間隔を調整して、歯肉縁４Ａを正確に人工歯３に一致するように配置できる。ただし、補助カバー材は、並べて配列している全ての人工歯３の表面を一枚でカバーする形状に成形することもできる。
【００２９】
さらに、上顎の内側面に付着される補助カバー材４は、図５と図６に示すように、石膏模型１の凸条５の内側全面をカバーする形状、すなわち上顎蝋義歯の口蓋をカバーする形状に成形している。この補助カバー材４は、歯肉部２に付着されて、蝋義歯の口蓋部６を簡単に成形できる特徴がある。
【００３０】
補助カバー材４は、歯肉部２の表面に沿うように湾曲形状に成形される。ただ、歯肉部２の表面形状は、正確には患者によって一定ではないので、標準の患者の歯肉部２を想定して、その表面形状に成形される。補助カバー材４は、歯肉部２の表面に付着するときに、各々の患者の歯肉部２の表面に沿うように変形して付着される。
【００３１】
以上の蝋義歯は、以下の工程で製造される。
（１）石膏模型１の凸条５にワックスを付着して歯肉部２を成形する。ワックスは、凸条５の外側と内側と上面に付着されて歯肉部２を整形する。この歯肉部２は、表面に補助カバー材４が付着されて完成された歯肉部に整形されるので、表面を綺麗に仕上げる必要はない。
（２）人工歯３を歯肉部２にワックスで付着した後、歯肉部２の表面に補助カバー材４を溶融ワックスで付着する。ただし、歯肉部２の上に複数の人工歯３を配列すると共に、歯肉部２の表面に補助カバー材４を付着し、補助カバー材４を付着するワックスで人工歯３を歯肉部２に固定することもできる。補助カバー材４は、前述した金属へらを使用し、溶融ワックスを接着剤に使用して歯肉部２の表面に、あるいは歯肉部２と人工歯３の表面に付着される。補助カバー材４を付着する工程で、金属へらでもって歯肉部２の表面を綺麗に整形する。
【００３２】
以上の工程で蝋義歯が製造される。この蝋義歯を使用して、以下の工程で有床義歯が製造される。
（１）蝋義歯を未硬化でペースト状の石膏に埋設して、石膏を硬化させて石膏の陰型を製作する。
（２）ワックスと補助カバー材４を加熱溶融して石膏の陰型から排出する。このとき、ゴム状弾性体の補助カバー材４を使用する蝋義歯は、石膏の陰型を開いて補助カバー材４を蝋義歯から外した後、石膏の陰型を閉じて、ワックスの歯肉部２を加熱溶融して石膏の陰型から排出する。
（３）人工歯３を所定の配列に固定して、歯肉部２と補助カバー材４を除去してできる空隙に、義歯床用材料に使用されるプラスチックを充填して、歯肉成形材で歯肉部を成形する。義歯床用材料に使用されるプラスチックとして、たとえば、ポリカーボネートやアクリルレジンが使用できる。ポリカーボネートは、溶融状態で石膏の陰型に充填した後、冷却・硬化させて歯肉部を成形する。熱硬化性の樹脂であるアクリルレジンは、粉剤と液剤とを混和し、粉液をモチ状になるまで放置した後、石膏の陰型に充填する。その後、加熱重合して樹脂を硬化させて歯肉部を成形する。さらに、これらのプラスチックに、金属を埋め込んで歯肉部を成形することもできる。
（４）歯肉成形材で成形された歯肉部に人工歯３が固定された有床義歯を石膏の陰型からが取り出す。
【図面の簡単な説明】
【００３３】
【図１】蝋義歯の一例を示す斜視図である。
【図２】従来の蝋義歯を示す分解斜視図である。
【図３】本発明の一実施例にかかる蝋義歯の分解斜視図である。
【図４】図３に示す蝋義歯の断面図である。
【図５】本発明の他の実施例にかかる蝋義歯の分解斜視図である。
【図６】図５に示す蝋義歯の断面図である。
【符号の説明】
【００３４】
１…石膏模型
２…歯肉部
３…人工歯                    ３Ａ…歯頚線
４…補助カバー材              ４Ａ…歯肉縁
５…凸条
６…口蓋部
８２…歯肉部
８３…人工歯                  ８３Ａ…歯頚線
８４…補助カバー材            ８４Ａ…歯肉縁
９１…石膏模型
９２…歯肉部
９３…人工歯
【図１】
0005170532.tif 000002
【図２】
0005170532.tif 000003
【図３】
0005170532.tif 000004
【図４】
0005170532.tif 000005
【図５】
0005170532.tif 000006
【図６】
0005170532.tif 000007